(57)【要約】      （修正有）【課題】本発明は、眼内レンズの計算に組み込まれる、眼の生体変数を判定するための装置に関する。【解決手段】本発明による、眼の生体変数を測定するための装置は、多点角膜計とＯＣＴ装置とからなり、角膜計測定点がテレセントリック的に照明され、かつテレセントリック的に検出されるように構成され、ＯＣＴ装置が全眼をその軸方向全長にわたって検出する検出領域を有する横方向スキャン掃引源システムとして設計される。多点角膜計によって確実になるのは、角膜表面を測定するために十分な数の角膜計点を使用できることである。テレセントリック性によって確実になるのは、測定する眼に対する測定機器の位置決めが不適切であっても、反射点の局所的な不整合にはつながらないことである。全眼をその長さにわたって検出する掃引源ＯＣＴスキャンが達成するのは、前房構造および網膜構造の両方を検出することができ、整合性のある全眼画像を実現できる。【選択図】図１
2020011088.tif 000002
【特許請求の範囲】
【請求項１】
眼内レンズを計算するために眼の生体変数を測定するための装置であって、多点角膜計とＯＣＴ装置とからなり、該多点角膜計が、角膜計測定点がコリメートされた状態で照明され、かつテレセントリック的に検出されるように構成され、該ＯＣＴ装置が、全眼をその軸方向全長にわたって検出する検出領域を有する横方向スキャン掃引源システムとして設計され、前記多点角膜計が、３つのリングであって、各リングが６つの角膜計測定点を有する該３つのリングに環状に配置された少なくとも１８個の角膜計測定点を有するように構成されることを特徴とする装置。
【請求項２】
前記多点角膜計は、前記３つのリングの第１および第３のリングの点の位置が、前記３つのリングの第２のリングの点の位置に対して回転するように構成されることを特徴とする請求項１に記載の装置。
【請求項３】
前記多点角膜計が、３０超、４０００未満の角膜計測定点を有するように構成されることを特徴とする、請求項１に記載の装置。
【請求項４】
前記多点角膜計が、８００超、１６００未満の角膜計測定点を有するように構成されることを特徴とする、請求項１に記載の装置。
【請求項５】
ＯＣＴの少なくとも１つのＢスキャンが少なくとも１つの角膜計測定点を通過するように、前記ＯＣＴ装置のスキャン方向が整合されることを特徴とする、請求項１乃至４のいずれか１項に記載の装置。
【請求項６】
互いに垂直な少なくとも２つのＢスキャンが、前記ＯＣＴ装置により実現されることを特徴とする、請求項５に記載の装置。
【請求項７】
２つの異なる測定モードを実現可能にするために、前記ＯＣＴ装置が遅延線を有することを特徴とする、請求項１乃至５のいずれか１項に記載の装置。
【請求項８】
前記２つの異なる測定モードは、前房測定モードおよび網膜測定モードを含み、前房測定モードおよび網膜測定モードのうちの少なくとも一方でＯＣＴデータを取得できるように前記ＯＣＴ装置が構成され、測定モードの各々を、焦点位置またはコヒーレンス・ゲートに関して測定されるそれぞれの眼部に適応させることができることを特徴とする、請求項７に記載の装置。
【請求項９】
網膜測定モードよりも前房モードにおいて、機器のより多くの光学的に有効な部分がＯＣＴ測定ビーム経路内に位置するように、前記ＯＣＴ装置の前記遅延線が構成されることを特徴とする、請求項７に記載の装置。
【請求項１０】
前記ＯＣＴ装置の測定光が１０１０〜１０９０ｎｍの波長を有することを特徴とする、請求項１乃至９のいずれか１項に記載の装置。
【請求項１１】
前記多点角膜計の測定光が、６８０〜９８０ｎｍまたは１１００ｎｍ超の波長を有することを特徴とする、請求項１に記載の装置。
【発明の詳細な説明】
【技術分野】
【０００１】
本発明は、眼内レンズの計算に組み込まれる、眼の生体変数を判定するための装置に関する。このような変数として、角膜前面および角膜後面の半径（その方向を含む）、角膜の非球面性、中心の、または１次元もしくは２次元プロファイルとしての角膜厚さ、前房深さ、水晶体厚さ、水晶体前面および水晶体後面のうちの少なくとも一方の半径、眼の軸長さ、一般に、光学的に有効な境界面または眼の角膜前面／角膜後面、水晶体前面および水晶体後面、網膜等の眼の視覚的能力に光学的に関連する部分の位置および形状がある。これらの変数またはこれらの変数の一部が、公知のＩＯＬ式に従う、またはレイ・トレーシング法による、以下でＩＯＬ計算と呼ばれる眼内レンズの計算のために必要である。
【背景技術】
【０００２】
従来技術は、全眼の生体変数を測定するためのＯＣＴ（光コヒーレンス・トモグラフィ）システムおよびトポグラフィ／ＯＣＴ組合せシステムのみを開示している。シャインプルーフのＰＣＩ（部分コヒーレンス干渉）およびトポグラフィ・システムまたはこれらの組合せ機器は、上述した変数の一部を測定するが、これらの組合せは眼のすべてのパラメータを測定することはできない。特に、これらのシステムは、組合せシステムにおいても、眼の前房および軸方向の一次元長さを測定することに限定されているため、水晶体後面および網膜、またはこれらの部分のそれぞれのプロファイルを測定することができない。
【０００３】
眼の前房および後房の測定を伴うＯＣＴシステムと、同様に後房および前房の測定を伴うトポグラフィ／ＯＣＴシステムのみが、全眼を測定することができる。
さらに考えられる組合せは、前房測定用のトポグラフィ／シャインプルーフ・システムと後房測定用のＯＣＴシステムとの組合せである。しかしながら、ＯＣＴも前房を検出することができるため、シャインプルーフ前房測定による利点は、追加コストに比べて低くなる。
【０００４】
従来のトポメータ（ｔｏｐｏｍｅｔｅｒ）（特にプラチド・システム）を用いて角膜のトポグラフィを測定することが、動きアーチファクトにより影響されるＯＣＴシステムの測定よりも実質的に正確であるという点で、純粋なＯＣＴシステムは、トポグラフィ／ＯＣＴ組合せシステムに比べて不利である。上述したＯＣＴシステムは、より高速な測定または眼に位置合わせされる測定により、このような動きアーチファクトを減少させることができるが、これは、かなりの費用を伴ってのみ可能であり、十分に確実な方法では容易に可能ではない。
【０００５】
例として、プラチド・トポグラフと時間領域ＢスキャンＯＣＴとの組合せが、トポグラフィ／ＯＣＴ組合せシステムとして特許文献１に記載されている。原理上は、これによって全眼を生体測定することができる。しかしながら、記載された装置はいくつかの重大な欠点を呈するため、測定値の信頼性が低下する。
【０００６】
プラチド・トポグラフィは非常に高い解像度を有するが、角膜計測定と比べると、表面を再構成することに関して再現性が低い。これは、第１に、高解像度を達成するためにトポグラフィの再構成中に行われること、および角膜計と比べて多くのトポグラフィ・システムのテレセントリック性が不足するか、または合焦可能性が不十分であることにおいて行われることのうちの少なくとも一方の仮定によるものであるため、トポグラフィ測定中、患者に対する測定機器の位置決めエラーが重要となる。
【０００７】
さらに、プラチド・トポグラフでは、いわゆるスクリュ光線（Ｓｋｒｅｗ  ｒａｙｓ）を考慮することができない。このスクリュ光線は、角膜頂点を通る中心面だけでなく、角膜頂点に垂直な面において角膜が湾曲するとき、すなわち、角膜が方位曲率（ａｚｉｍｕｔｈａｌ  ｃｕｒｖａｔｕｒｅ）を有する場合、プラチド・リング照明時に常に発生する。スクリュ光線を考慮しない結果、角膜表面は正確に再現されない。したがって、全体として、プラチド・トポグラフは、角膜の半径または一般に前面を、ＩＯＬ計算の必要に応じて確実に十分には再現しない。
【０００８】
さらに、時間領域ＯＣＴシステムは遅すぎ、価格において対抗するスペクトロメータに基づくシステムは、軸方向解像度を有していないこと、および軸方向スキャンもしくは検出深さが小さすぎることのうちの少なくとも一つにより、ＩＯＬ計算に必要な解像度で眼の長さが得られず、もしくは部分的な深さ測定しか行われない。しかしながら、全眼生体測定、すなわち、眼の視覚的能力に光学的に関連する全眼の部分を、眼におけるその位置およびそのプロファイルに関して設定することは、前房および後房を別々に測定し、続いてデータを合成することによって、原理上、いずれの場合にも可能である。しかしながら、互いに対する画像の位置合わせは、部分画像において適切な共通の基準変数がないため、信頼性がないことが多い。
【０００９】
したがって、プラチド時間領域ＯＣＴシステムによって、ＩＯＬ計算のために十分に確実かつ簡単な方法で、すべての生体データを取得することはできない。
単純な角膜計とＢスキャンＯＣＴとの組合せが、特許文献２のトポグラフィ／ＯＣＴ組合せシステムに記載されている。このシステムによっても、眼の生体測定の重要な生体変数を判定することができる。しかしながら、記載された装置も、測定値の信頼性を低下させ、または全眼の生体測定に関連する重要な点を未解決のままにするいくつかの重大な欠点を呈する。
【００１０】
記載された角膜計は、角膜前面の半径のロバストな測定を可能にするにすぎない。角膜表面のより高次の表現、または記載された角膜計の解像度よりも高い解像度での表現は、不可能である。しかしながら、これは、眼内レンズ（略してＩＯＬ）、特にトーリックＩＯＬの計算にますます必要になっている。
【００１１】
さらに、これは、角膜計により測定されるトポグラフィをＯＣＴデータからの空間データに割り当てるという問題を解決しておらず、また測定中の眼の動きを補償するために、ＯＣＴ測定が特に迅速に行われることを保証するものでもない。
【先行技術文献】
【特許文献】
【００１２】
【特許文献１】米国特許出願公開第２００４／００６６４８９号明細書
【特許文献２】米国特許出願公開第２００５／０２０３４２２号明細書
【発明の概要】
【発明が解決しようとする課題】
【００１３】
本発明は、眼の生体変数の測定値を迅速、確実、かつ再現可能な方法により、必要な精度および解像度で測定する装置を開示するという目的に基づいており、これらの生体変数は、眼内レンズの計算、また全眼の生体測定を仮定するそのような計算に関連する。
【００１４】
特に、眼の視覚的能力に光学的に関連する全眼の部分は、眼におけるそれらの位置およびそれらのプロファイルに関して判定されるべきであり、これは、以下で全眼生体測定と呼ばれる。ここでは、上述した変数が前景にあるが、装置を用いて、これまでに使い果たされていない異なる眼の変数、特に、眼の光学モデルをシミュレーションするために必要なそのような変数をも、測定データから抽出することもできる。
【課題を解決するための手段】
【００１５】
多点角膜計とＯＣＴ装置とからなる、眼内レンズを計算するために眼の生体変数を測定するための装置は、角膜計測定点が遠隔測定により照明され、テレセントリック的に検出され、ＯＣＴ装置が全眼をその軸方向全長にわたって検出する検出領域を有する横方向スキャン掃引源システムとして設計されるように、多点角膜計が構成されることによって、この目的を達成する。
【００１６】
多点角膜計によって確実になるのは、第１に、高解像度で角膜表面を測定するために十分な数の角膜計点を使用可能であること、しかし測定点の密度は多点角膜計がスクリュ光線を検出することが可能であるように十分に低いことである。それに対して、テレセントリック性によって確実になるのは、測定する眼に対する測定機器の位置決めが不適切であっても、反射点の局所的な不整合にはつながらないことである。
【００１７】
全眼をその長さにわたって捕捉する掃引源ＯＣＴスキャンが達成するのは、前房構造および網膜構造の両方をＡスキャンまたはＢスキャンにおいて検出することができることであり、スキャン中に網膜および前房／角膜に基づく方向付けが可能になることである。これにより、ＡスキャンおよびＢスキャンのうちの少なくとも一方を組み合わせて、整合性のある全眼画像を形成することがさらに容易になる。ここで、掃引源ＯＣＴは、全眼長さにわたるＡスキャンの、動きアーチファクトのない高速な測定を確実にする点で、時間領域ＯＣＴまたはスペクトロメータに基づくＯＣＴ等の他のＯＣＴ改良例よりも優れている。
【００１８】
以下の本文は、装置および変形例の一部およびその実施形態をより詳細に説明する。その際に、以下の図面を参照する。
【図面の簡単な説明】
【００１９】
【図１】装置の基本的な光学設計を示す図。
【図２】異なるＯＣＴ測定モード、すなわち前房モードおよび網膜モードで記録される２つのＢスキャンを示す図。
【図３】装置のＢスキャン／角膜計形状の好ましい実施形態を示す図。
【図４】トポグラフィの測定時およびＯＣＴ測定の場合のスクリュ光線の効果を示す図。
【図５ａ】好ましい掃引源ＯＣＴ測定システムの基本設計の２つの実施形態を示す図。
【図５ｂ】好ましい掃引源ＯＣＴ測定システムの基本設計の２つの実施形態を示す図。
【発明を実施するための形態】
【００２０】
本発明による、眼内レンズを計算するために眼の生体変数を測定するための装置は、多点角膜計とＯＣＴ装置とからなり、角膜計測定点がテレセントリック的に照明され、テレセントリック的に検出され、ＯＣＴ装置が全眼をその軸方向全長にわたって検出する検出領域を有する横方向スキャン掃引源システムとして設計されるように、多点角膜計が構成される。
【００２１】
図１は装置の基本的な光学設計を示し、ビーム・スプリッタ３により、ＯＣＴシステム２が共通の機器軸２８上で多点角膜計システム１と一体化されて、両システムが、横方向に割当て可能な方法で眼２７を生体測定することができるようになっている。
【００２２】
ここで、多点角膜計システム１は、機器軸２８から異なる半径方向距離にある複数の光源、好ましくはＬＥＤ４からなる。レンズ・アタッチメント２９により、ＬＥＤが確実に、共線ビームによって、角膜を点状にテレセントリック的に照明する。角膜により反射されたビームがカメラ５により検出され、カメラ５の上流にテレセントリック絞り６が取り付けられている。
【００２３】
あるいは、補助レンズを有する個々のＬＥＤの代わりに、１つまたはいくつかのＬＥＤを用いて、適切に設計されたフレネル・レンズ、いわゆるフラキシコン（ｆｒａｘｉｃｏｎ）により、コリメート光線を生成することができる。これは、互いに離間された非常に多くのコリメート光線を生成する予定である場合に特に有利である。
【００２４】
照明および検出のテレセントリック設計により、位置決めエラーに関する感度が低下する。これは、テレセントリック性の結果として、角膜に対する角度がわかっていて、距離とは無関係の光線のみが、画像の構築に寄与するためである。したがって、この設計により、プラチド・トポグラフの場合よりも角膜半径等の変数の測定の再現性が確実に高くなるため、この設計は、ＩＯＬ判定関連パラメータを得ることに関して、プラチド・トポグラフよりも確実なものとなる。
【００２５】
第１の実施形態では、角膜計が、カールツァイスメディック株式会社（Ｃａｒｌ  Ｚｅｉｓｓ  Ｍｅｄｉｔｅｃ  ＡＧ）によるＩＯＬＭａｓｔｅｒの角膜計の角度に対応する角度を、機器軸の周りのリング上に、特に機器軸に対して１７〜１８度の照明角度で配置された６つの測定点で照明し測定する。これにより、ＩＯＬＭａｓｔｅｒからの測定データと本発明による装置からの測定データとを比較するときに、異なる角度整合による効果を考慮する必要が確実になくなる。
【００２６】
さらなる実施形態では、角膜計は、機器軸の周りのいくつかのリング上に分散されたいくつかの点で照明し測定する。ここで、少なくとも２つのリング上で機器軸の周りに対称に配置された少なくとも１２個の点が好ましい。
【００２７】
ここで、各々６個の点を有する３つのリングを含む配置が特に好ましい。このために、図３は、考えられる配置を示す。３つのリングの配置によって確実になるのは、角膜表面の表現の必須の変数が測定されることであり、これらの変数は、良好な近似への現在のＩＯＬのＩＯＬ計算に適したもの、すなわち角膜半径、非点収差または２つの主半径、および半径の一方の軸の位置、角膜の非球面性である。図３に示すように、第２のリングの点の位置に対する第１および第３のリングの点の回転によって特に達成されるのは、低次での角膜表面のゼルニケ表現により多くの眼の球面と比べて最大の偏差が見込まれる領域に、測定点が位置することである。さらに、この場合、リングの１つの角膜計照明について、ＩＯＬＭａｓｔｅｒ角膜計にあるような形状を与えることもできる。
【００２８】
ここで、好ましくは、ＯＣＴの少なくとも１つのＢスキャンが少なくとも１つの角膜計測定点を通過するように、ＯＣＴ装置のスキャン方向が整合される。
角膜表面の微細な解像度用または眼の疾患のより正確な診断用にさらに高い解像度を提供するために、角膜計は、３０超、４０００未満の角膜計測定点で照明し測定し、これらの角膜計点は、いくつかのリング上に分散されるか、または少なくともいくつかの領域を半径方向にカバーする。その結果、角膜表面のより高い次数を判定することができる。しかしながら、プラチド・トポグラフとは対照的に、ＯＣＴ測定と組み合わせた角膜表面のギャップなし測定は、いわゆるスクリュ光線の検出を可能にするには適していない。したがって、８００超、１６００未満の測定点を有する角膜計が特に好ましい。これにより、トポグラフィ解像度とスクリュ光線の検出可能性との間の良好なアプリケーション指向の妥協がもたらされる。
【００２９】
スクリュ光線を考慮する必要性について以下で説明する。
プラチド・トポグラフの代わりにいくつかの別々の測定点を有する角膜計を使用することによって確実になるのは、局所曲率を評価するときに、いわゆるスクリュ光線さえも正確に考慮されるという点である。このことは、角膜の局所曲率が、ＯＣＴ測定ビームを角膜内に、したがって眼の中に屈折させるのに重要であるため、特に重要である。曲率のエラー、特にＯＣＴビームをＢスキャンの公称経線面から偏向させる曲率のエラーは、Ｂスキャンにおいて現れる眼内境界面の誤った位置決めにつながる。この場合に特に重大なのは、屈折における角度エラーは小さい可能性があるが、これに関連する位置決めエラーは眼内距離の増加と共に増加することである。
【００３０】
これは図４に示される。図４の左側は、半径方向にのみ傾斜した角膜の表面要素を示す。したがって、ベクトル部分４１は方位角成分を有していない。したがって、ＯＣＴビーム４３として角膜表面要素に作用するＯＣＴビーム４２も、経線面のみに屈折する。右側は、方位角方向にも傾斜した表面要素４４を示す。経線面からの反射が他の隣接する角膜領域の反射に重なり、２つの成分を容易に分離できないため、この傾斜は従来のプラチドまたはリング投影システムによって検出されない。それに対して、多点角膜計はこの傾斜を検出できる。角膜計の検出器上の反射点が経線面の外側に現れ、照明点が共に非常に近接して位置していなければ、他の照明点からの反射がそこで干渉しないからである。しかしながら、今度は、この表面要素の傾斜により、ベクトル部分４４を有する表面要素上に落下するＯＣＴビーム４５が、同様にＯＣＴビーム４６として経線面から外に屈折される。したがって、Ａスキャンにおける眼内境界面は、同様に経線面内にはなく、経線面の側面にある。したがって、この方位角傾斜を検出することなく、眼内境界面が、眼のモデルを形成するために誤って再現される。
【００３１】
検出された角膜計点を関連する照明源により良好に割り当てることができるようにするため、さらなる実施形態の角膜計について、角膜計点が個々にまたはグループで順次照明され測定されると有利である。これは、各々の場合に角膜表面の大部分を測定する２以上のグループの角膜計測定点の場合に特に有利であり、ここでは、それぞれの角膜部分が完全にまたはかなりの程度まで重なるが、グループの角膜計点は各々の場合に互いに対してずれるか、または回転する。その結果、１つのグループの測定について、これにより、グループの２つの点の間の距離が、照明源と検出スポットとを確実に関連させるのに十分な大きさになるが、それにもかかわらず、種々のグループの角膜計測定点を測定することにより、角膜を依然として高解像度で確実に測定できるようになる。したがって、例えば１８点の角膜計の場合、各々６つの点を有する３つのサブグループで測定を行うことができる。
【００３２】
さらに、図３に示すような好ましい実施形態では、ＯＣＴの少なくとも１つまたは複数のＢスキャン３１〜３６が、１つまたは複数の角膜計照明点３７を通過する。これは、角膜表面の角膜計データをＯＣＴにより取得した眼内距離と組み合わせて、レイ・トレーシングによるＩＯＬ計算のための全眼モデルを形成すべきである場合に特に有利である。角膜計測定点でＢスキャンを整合させることにより、角膜前面のデータを角膜曲率測定から、かつ眼内データをＯＣＴから構成するときに、角膜計における角膜前面からの反射と同一の位置でＯＣＴデータが確実に測定される。
【００３３】
その際に、２色分離を用いて（このために、図１のビーム・スプリッタ３は２色設計を有する）角膜計およびＯＣＴを同時に測定することができ、またはソフトウェアを用いて角膜計の画像において検出可能なＯＣＴ照明スポットを除去することにより、角膜計およびＯＣＴを同時に測定することができ、または若干の時間遅延に合わせて（すなわち、眼の動きによるわずかな移動を受けて）角膜計およびＯＣＴを交互に／順に測定することができる。あるいは、虹彩画像、瞳孔画像および強膜画像のうちの少なくとも一つと同時に、または同一の時間窓で、２つのモダリティの各々を別々に記録することもでき、上述した画像に基づいて互いに対して横方向に位置決めすることもできる。このような種類の角膜計信号からのＯＣＴ信号の分離は、角膜計に限定されず、角膜計の代わりにプラチド・トポグラフに適用されてもよい。
【００３４】
同様に図３に示すさらなる実施形態では、ＯＣＴのＢスキャンが角膜計点３７を通過するだけでなく対を形成し、その対のスキャン面、例えば３１および３２がそれぞれ互いに垂直であり、できるだけ多くの角膜計点またはすべての角膜計点をカバーするために、種々の対が互いに対して回転する。
【００３５】
この利点は、米国特許第７，４５２，０７７号明細書の通り、角膜頂点が各対について判定され、この角膜頂点を、角膜計測定から判定された角膜頂点と比較することができる点である。ＯＣＴ頂点と角膜計頂点との距離が、一連のＯＣＴおよび角膜計測定の間に強く変化しすぎると、これは、患者が適切に固定されておらず、角膜計測定点に対するＯＣＴスキャンの割当てが、角膜計およびＯＣＴデータから眼モデルを生成するのに十分確実ではないことを示す。
【００３６】
以下の本文は、全眼の生体測定／検出のために多点角膜計が有利に組み合わされるＯＣＴシステムを説明する。
図１によれば、ＯＣＴシステムは、掃引源干渉計１３、コリメータ１４、少なくとも１つの横方向に偏向するスキャナ１１およびスキャナ１２のうちの少なくとも一方、ならびに、眼においてＯＣＴの焦点面を固定するように機能するいくつかの光学要素またはレンズ１８、１９、および２０からなる。掃引源干渉計自体は、図５ａおよび図５ｂに２つの変形形態で図示される。ここでは、これはいずれの場合にもマッハ・ツェンダー配置であるが、他の配置も実現可能である。
【００３７】
最初に述べたように、掃引源システムは、その高感度のため、全眼ＯＣＴスキャンを記録するのに特に適している。特に、独国特許出願公開第１０２００８０６３２２５号明細書に記載されたような組合せ機器の条件を満たすのに有利である。ここでは、７８０ｎｍ〜１１００ｎｍ、好ましくは１０１０ｎｍ〜１０９０ｎｍのＯＣＴ波長も、適用のために選択すべきである。それは、これらの波長の光が患者の眼によって知覚されず、白内障によって不透明になった眼の水晶体も依然として十分に貫通できるからである。組合せ機器の範囲内で、６８０〜９８０ｎｍまたは１１００ｎｍ超の波長は、色分離の目的で、角膜計について選択するのに好適である。
【００３８】
さらに、サンプル干渉計に加えて、掃引中のレーザ波長を監視するために基準干渉計がある場合、さらなる実施形態において、取得されたＯＣＴ信号の信頼性を向上させることができる。
【００３９】
これに関し、図５ａは、掃引源ＯＣＴシステムの特定の設計を示す。ここで、基準干渉計の光は、光源の直後、または実際のサンプル測定およびサンプル参照に必要な光学要素の直前に切り離される。この利点は、基準干渉計を掃引源レーザ・モジュールに組み込むことができる点である。あるいは、図５ｂは、この基準干渉計が光源自体内に直に位置しないか、または実際のサンプル測定およびサンプル参照に必要な光学要素の前には位置しないが、これらの光学要素の後に位置する配置を示す。
【００４０】
好ましい実施形態では、遅延線によって網膜モードと前房モードとの間で切替えが行われる。網膜モードの場合、ＯＣＴ照明ビームの焦点およびコヒーレンス・ゲートのゼロ点が網膜付近に設定される。コヒーレンス・ゲートのゼロ点は、この場合、好ましくは網膜の後ろに設定される。さらに、Ｂスキャン中の回転点は、眼の瞳孔に位置し、純粋な網膜ＯＣＴの場合のように、網膜のＢスキャン／横断面記録が、高い横方向および軸方向解像度で行われるようになっている。前房モードの場合、ＯＣＴ照明ビームの焦点およびコヒーレンス・ゲートのゼロ点は前房付近または前房内にある。焦点が前房内に位置し、コヒーレンス・ゲートのゼロ点が角膜の前に位置することが特に好ましい。さらに、回転点が仮想的に網膜付近に位置して、Ｂスキャンが、前房ＯＣＴからわかるような、前房の高解像度の横断面像を提供するようになっている。
【００４１】
しかしながら、掃引源ＯＣＴの高感度により、両方のスキャン・モードにおいて、焦点が合っていない眼の部分も信号として確実に使用できる。これは図２に示される。前房モードでは、高い横方向解像度を有してはいないが、網膜Ｒからの信号も存在する。網膜モードでは、角膜前面ＣＶからの信号も存在する。したがって、固定光により整合された患者の視軸と同一である主な機器軸に沿って各々の場合に行われるＡスキャンは、両方のモードのＢスキャンを互いに軸方向に関連付け、異なるモードの２つのスキャン間における眼の軸方向の動きを補償することができる。原理上、１つの共通の境界面の検出で十分であるが、これが実際にどの境界面であるかについて、境界面信号では不明なことが多い。ここで、種々のモードにおいて、スキャン当たり２つの境界面信号が、眼の境界面に対してより良好な割当て性を提供する。
【００４２】
さらに好ましい実施形態では、さらなる光学要素により、網膜モードに比べて前房モードで遅延線が延長される。これは、網膜モードの場合、より低い網膜信号が機器の光学要素での反射によってさらに減衰されないようにビーム経路にある測定機器の光学要素がより少数になるように行われる。これに対して、前房からのより強い信号については、網膜からの信号に比べて、測定ビーム経路において眼の屈折率変化がより大きく、光学要素がより少ないため、焦点移動および遅延線移動光学ユニットでの反射による信号の減衰を許容することができる。実施形態が図１で説明され、ここでは、前房モードへの切替えが、レンズ１８における旋回、レンズ２０の傾け、およびプリズム１６の挿入により達成される。
【００４３】
さらなる実施形態では、装置は、眼および眼の近接する周囲のうちの少なくとも一方を照明するための１つまたは複数のＬＥＤを有する。図１では、これらのＬＥＤのＬＥＤ２５のみが例示される。その後、角膜計の画像センサによる記録が、眼に対して機器を横方向に位置決めするため、または縁から縁までの距離を判定するために使用される画像を提供する。この場合、角膜計測定とは対照的に、レンズを内および外のうちの少なくとも一方に旋回させることにより眼の周囲に焦点を合わせるための焦点位置の変化があると有利である。周囲の画像による機器の横方向位置決めは、前房モードにおけるＯＣＴ測定を用いた軸方向位置決めにより補完され得る。
【００４４】
さらなる実施形態では、装置は、強膜を照明するための１つまたは複数のＬＥＤを有する。射出される波長に関し、波長は血管および虹彩のうちの少なくとも一つの良好なコントラストがとられるように選択される。図１では、これらのＬＥＤのうちＬＥＤ２６のみが例示される。その後、角膜計の画像センサによる記録が、眼に対するＯＣＴおよび多点角膜計のうちの少なくとも一つの測定値の横方向位置合わせおよび回転位置合わせを可能にする画像を提供する。この位置合わせは、測定値から眼モデルを形成するため、または続いて眼内レンズを手術中に整合させるために使用され得る。
【００４５】
上記の説明で記載したすべての要素および実施形態は、眼内レンズの計算に必要とされる生体変数測定の速度、信頼性、ロバスト性、および精度の増加に完全に寄与する。
すべての態様が、異なる測定物について必ずしも使用されるわけではない。例として、機器が前房の横断面および眼の軸長さのみを測定すべきである場合、多点角膜計と前房ＯＣＴとの組合せ機器において、全眼ではなく前房のみがＯＣＴにより検出されれば十分である。そして、ＯＣＴは全眼をカバーする必要がなく、そのため時間領域およびスペクトロメータに基づくシステム等の他のＯＣＴシステムを多点角膜計と組み合わせることが有利に可能となる。これは、このようなすべてのＯＣＴ／多点角膜計システムが、角膜表面についてのデータを取得するためにスクリュ光線を考慮することから利益を得るためであり、これらは、ＯＣＴデータの横方向局所化／割当てに使用される。
【符号の説明】
【００４６】
１  角膜計システム
２  ＯＣＴシステム
３  ビーム・スプリッタ
４  ＬＥＤ
５  カメラ、部分センサ
６  テレセントリック絞り
７、８  焦点設定用レンズ
９  対物レンズ
１０  ビーム・スプリッタ
１１、１２  旋回可能なミラー
１３  ＯＣＴ干渉計
１４  コリメータ
１５  光導波路
１６  挿入可能なプリズム
１７  ビーム偏向
１８、１９、２０  焦点および視野設定用レンズ
２１  シャッタ
２２  ビーム・スプリッタ
２３  フォトダイオード出力測定
２４  固定ＬＥＤ
２５  周囲照明ＬＥＤ
２６  強膜照明ＬＥＤ
２７  眼
２８  機器軸
２９  補助レンズ
２８  機器軸
３１〜３６  Ｂスキャン方向
３７  角膜計照明測定点
４１、４４  表面要素ベクトル
４２、４５  入射ＯＣＴビーム
４３、４６  表面要素で光学的に屈折したＯＣＴビーム
４７  ＯＣＴスキャンおよび角膜中心面
５０  掃引源
５１、５２、５３  カプラ
５４  基準干渉計
５５、５６  平衡検出器
５８  経路長適応
５９  干渉計におけるコリメータ
ＣＶ  角膜前面
Ｒ  網膜
【図１】
2020011088.tif 000003
【図２】
2020011088.tif 000004
【図３】
2020011088.tif 000005
【図４】
2020011088.tif 000006
【図５ａ】
2020011088.tif 000007
【図５ｂ】
2020011088.tif 000008
【外国語明細書】
2020011088000001.pdf